(57)【要約】【課題】容器本体を紙製とすることで、印刷による新たな付加価値や装飾性を施すことができる食品等の包装容器を提供する。【解決手段】紙製の容器本体２と、この容器本体２に被せて取付ける透明な合成樹脂製の蓋体３との組み合わせからなり、前記容器本体２が、一枚の厚紙を用いてこれを折り曲げることにより、矩形状底板４の四周縁に枠状の周壁５を設けて形成され、前記周壁５の外面で各コーナの位置に、厚紙を切り抜くことによって形成された凹状係合部２３を設け、前記蓋体３の各コーナに、この蓋体３を容器本体２に被せたとき凹状係合部２３に対して係合する凸状係合部２４を設けた。【選択図】図６
2011037507.tif 000002
【特許請求の範囲】
【請求項１】
紙製の容器本体と、この容器本体に被せて取付ける透明な合成樹脂製の蓋体との組み合わせからなり、前記容器本体が、一枚の厚紙を用いてこれを折り曲げることにより、矩形状底板の四周縁に枠状の周壁を設けて形成され、前記周壁の外面で各コーナの位置に、厚紙を切り抜くことによって形成された凹状係合部を設け、前記蓋体の各コーナに、この蓋体を容器本体に被せたとき凹状係合部に対して係合する凸状係合部を設けた食品等の包装容器。
【請求項２】
上記容器本体の周壁が、外側壁と内側壁の二枚重ね構造となり、周壁の外面で各コーナの位置に設けた凹状係合部は、外側壁に設けた切抜き孔によって形成され、この切抜き孔の内側が内側壁によって閉塞されている請求項１に記載の食品等の包装容器。
【請求項３】
上記容器本体の周壁において、隣接する外側壁の端部が、内側へ二つ折りにして一方外側壁とその内側壁の間に収まる内折り壁によって連なり、上記切抜き孔は、外側壁の端部から内折り壁に達するように設けられ、前記周壁の組み立て状態で、隣接する外側壁の切抜き孔が互いに連通することにより凹状係合部を形成している請求項２に記載の食品等の包装容器。
【請求項４】
上記容器本体の周壁が、外広がりの傾斜状になっている請求項１乃至３の何れかに記載の食品等の包装容器。
【発明の詳細な説明】
【技術分野】
【０００１】
この発明は、ケーキやサンドイッチ等の食品を陳列、販売するために用いる食品等の包装容器に関する。
【背景技術】
【０００２】
上記のような食品を陳列、販売する場合、食品を衛生的に収納して持ち帰ることができると同時に、収納した食品の選択ができて購買を促進するために外部から目視できるようにしなければならない。
【０００３】
このような目的のための包装容器として、従来より各種構造のものが提案されているが、一般によく知られている包装容器は、浅い箱状の容器本体と、この容器本体に被せて取付ける蓋体の組み合わせからなり、前記容器本体及び蓋体は共に熱可塑性の合成樹脂シートを用いて金型で加熱成形され、少なくとも蓋体は透明性を有し、前記容器本体の周壁と蓋体の嵌り合い部分の一方に凹状係合部と他方に凸状係合部を形成した構造になっている（例えば、特許文献１参照）。
【０００４】
上記のような包装容器は、容器本体内に食品を載置して収納し、この容器本体に上から蓋体を被せ、凹状係合部と凸状係合部を係合させることにより、蓋体を容器本体に取り付け固定することにより、食品を外気から遮蔽して衛生的な状態で収納し、蓋体の透明によって食品を外部から見ることができることになり、また、食品を取り出すときは、容器本体に対して蓋体の周縁鍔部を指先で挟んで開方向の力を加え、凹状係合部と凸状係合部の係合を解いて蓋体を取外すことによって行うものである。
【先行技術文献】
【特許文献】
【０００５】
【特許文献１】実用新案登録第３１０８１８２号公報
【発明の概要】
【発明が解決しようとする課題】
【０００６】
ところで、上記のような包装容器は、食品を衛生的に収納することができると同時に、収納した食品を外部から目視することができるが、容器本体が合成樹脂製であるため、これに図柄や文字等を直接印刷するのに困難性があり、印刷による新たな付加価値や装飾性を施すのが困難であるという問題がある。
【０００７】
また、上記のような包装容器は、簡易的な包装形態であるため密閉性に劣り、収納した食品がどうしても乾燥しやすいという問題もある。
【０００８】
そこで、この発明の課題は、上記のような問題点を解決するため、厚紙を用いて樹脂製と同等の構造の容器本体を形成することで、印刷による新たな付加価値や装飾性を施すことができ、厚紙の持つ保湿性により収納した食品の乾燥発生を抑えることが可能になる食品等の包装容器を提供することにある。
【課題を解決するための手段】
【０００９】
上記のような課題を解決するため、この発明は、紙製の容器本体と、この容器本体に被せて取付ける透明な合成樹脂製の蓋体との組み合わせからなり、前記容器本体が、一枚の厚紙を用いてこれを折り曲げることにより、矩形状底板の四周縁に枠状の周壁を設けて形成され、前記周壁の外面で各コーナの位置に、厚紙を切り抜くことによって形成された凹状係合部を設け、前記蓋体の各コーナに、この蓋体を容器本体被せたとき凹状係合部に対して係合する凸状係合部を設けたものである。
【００１０】
上記容器本体の周壁が、外側壁と内側壁の二枚重ね構造となり、周壁の外面で各コーナの位置に設けた凹状係合部は、外側壁に設けた切抜き孔によって形成され、この切抜き孔の内側が内側壁によって閉塞されているようにすることができる。
【００１１】
また、上記容器本体の周壁において、隣接する外側壁の端部が、内側へ二つ折りにして一方外側壁とその内側壁の間に収まる内折り壁によって連なり、上記切抜き孔は、外側壁の端部から内折り壁に達するように設けられ、前記周壁の組み立て状態で、隣接する外側壁の切抜き孔が互いに連通することにより凹状係合部を形成しているようにしてもよい。
【００１２】
ここで、容器本体を形成する一枚の厚紙は、長方形となる下部底板の四辺に外側壁とその内側壁を連成し、下部底板の幅方向に位置する一方内側壁に上部底板を連成し、他方内側壁に上下底板間への挟み込み板を設け、下部底板の長さ方向に位置する両端の内側壁に上下底板間への挟み込み板を設け、前記下部底板の四隅で隣接する外側壁の端部間に、内側へ二つ折りする内折り壁を設け、各外側壁の両端部に長孔状の切抜き孔が内折り壁に達するように設けられた構造になっている。
【００１３】
上記外側壁と内側壁を順次内折りして内折り壁を内側に折込み、下部底板上に挟み込み板を重ねた状態で上部底板を折り込み、上部底板の周縁に設けた凸片を内側壁と挟み込み板の境界に設けた孔に係止することにより、接着剤を用いることなく、下部底板と上部底板が重なる矩形状底板の周囲に枠状の周壁が起立する容器本体が組み上がり、前記周壁には四隅の外面位置に前記外側壁に設けた切抜き孔によって凹状係合部が形成されることになる。
【００１４】
上記蓋体は、透明な合成樹脂シートを用い、下部開口が上記周壁の外側に嵌り合う大きさと形状に形成され、下部開口の四隅に上記凹状係合部に対して係合する凸状係合部が形成され、この蓋体は容器本体に被せて上から力を加えることで取付けることができる。
【００１５】
なお、容器本体における周壁の四隅の位置は、形状的及び寸法的に変化の発生が最も少ない部位であり、この四隅の位置に凹状係合部を形成することにより、容器本体を一枚の厚紙から折り曲げ形成した構造であっても、蓋体を被せた場合、凹状係合部と蓋体の凸状係合部の係合を確実に保持することができることになる。
【発明の効果】
【００１６】
この発明によると、矩形状底板の四周縁に枠状の周壁を設けて形成された容器本体を紙製とし、前記周壁の外面で各コーナの位置に、厚紙を切り抜くことによって形成された凹状係合部を設け、この容器本体に被せて取付ける透明な合成樹脂製の蓋体に、凹状係合部に対して係合する凸状係合部を設けたので、食品を衛生的に収納することができると同時に、収納した食品を外部から目視することができる包装容器の容器本体を紙製とすることができ、容器本体に対して文字や図柄を施すことにより、包装容器に対して印刷による新たな付加価値や装飾性を付与すことができ、紙の持つ保湿性により収納した食品の乾燥発生を抑えることが可能になる。
【００１７】
また、周壁の外面で各コーナの位置に凹状係合部を設けたので、容器本体が紙製であっても、周壁の四隅の位置は形状的及び寸法的に変化の発生が最も少ない部位となり、被せて取付けた蓋体の固定が確実に得られることになり、収納した食品の販売や持ち帰りが支障なく行える。
【００１８】
更に、容器本体を紙製とすることで、使用後において地球環境にやさしい廃棄処理が可能になる。
【図面の簡単な説明】
【００１９】
【図１】容器本体を示す展開図
【図２】容器本体の組立て途中の前半を示す斜視図
【図３】容器本体の組立て途中の中間を示す斜視図
【図４】容器本体の組立て途中の後半を示す斜視図
【図５】容器本体の組立て状態を示す斜視図
【図６】容器本体と蓋体の分解斜視図
【図７】（ａ）は組み上がった包装容器を拡大した要部切り欠き側面図、（ｂ）は組み上がった包装容器の容器本体と蓋体の係合部分を拡大した縦断面図
【図８】他の例の容器本体を示す展開図
【図９】他の例の容器本体を示す組み上がった状態の斜視図
【図１０】他の例の組み上がった容器本体の積み重ね状態を示す説明図
【発明を実施するための形態】
【００２０】
以下、この発明の実施の形態を添付図面に基づいて説明する。
【００２１】
図６のように、この発明の包装容器１は、容器本体２とこれに被せて取付ける蓋体３との組み合わせからなり、容器本体２は一枚の厚紙を折り曲げて接着剤を用いることなく組立てた紙製であり、矩形状底板４の四周縁に枠状の周壁５を設けた構造となり、また、蓋体３は、透明な薄い合成樹脂シートを用いて金型で加熱成形したものである。
【００２２】
図１は、容器本体２を形成する厚紙の展開図であり、長方形となる下部底板６の四辺に、内折り目線７を介して外側壁８と、外側壁８の外端に内折り目線９を介して内側壁１０を連成し、下部底板６の幅方向に位置する一方内側壁１０に下部底板６と同じような大きさの上部底板１１を外折り目線１２を介して連成し、他方の内側壁１０に上下底板１１と６の間に位置させる短い幅の挟み込み板１３を外折り目線１４を介して設け、下部底板６の長さ方向に位置する両端の内側壁１０に上下底板１１と６間への挟み込み板１５を外折り目線１６を介して設け、この内側壁１０の両端に内側へ向けての折り込み片１７を設け、前記下部底板６の四隅で隣接する外側壁８の端部間に、内側へ二つ折りする内折り壁１８を内折り目線１９を介して設け、各外側壁８の両端部にそれぞれの外側壁８の長さ方向に沿う長孔状の切抜き孔２０が内折り壁１８に達するように設けられた構造になっている。
【００２３】
上記上部底板１１の周縁三辺には短い係止凸片２１が設けられ、この係止凸片２１と対応する配置となるよう内側壁１０と挟み込み板１３及び１５の境界に係止孔２２が設けられ、上部底板１１を下部底板６上へ重ねた状態を係止凸片２１と係止孔２２の係合によって保持するようになっている。
【００２４】
容器本体２を組立てるには、図２乃至図５に示す折り畳み工程のように、下部底板６の四辺に設けた外側壁８を上方に折り曲げ、内側壁１０を折り返して外側壁８と重ね、各挟み込み板１３及び１５を下部底板６上に重なるように折り曲げると共に、隣接する外側壁８間に位置する内折り壁１８は内側へ二つ折りにして、外側壁８と内側壁１０の間に納め、折り込み片１７も外側壁８と内側壁１０の間に納めた状態で、上部底板１１を下部底板６の上に重ね、上部底板１１の係止凸片２１を係止孔２２に係止させる。
【００２５】
図５に示すように、上記のような組みたてにより、下部底板６と上部底板１１が重なる矩形状底板４の上面で四周縁に、外側壁８と内側壁１０が重なる枠状の周壁５が起立する、浅い箱状の容器本体２が接着剤を用いることなく組み上がり、この容器本体２の周壁５における外面で四隅のコーナ位置に、外側壁８に施した切抜き孔２０によって凹状係合部２３が形成される。
【００２６】
この凹状係合部２３は、隣接する外側壁８の切抜き孔２０が連通することにより、周壁５におけるコーナにおいて平面的にＬ字状となり、その内面側は内側壁１０や内折り壁１８、折り込み片１７等が重なることにより閉鎖され、従って、凹状係合部２３は、外側壁８を形成する紙厚の厚みだけ凹入する段部になっていると共に、容器本体２における周壁５の内外での連通発生をなくしている。
【００２７】
上記容器本体２において、枠状に組み上がった周壁５の四隅の位置は、外圧を受けても形状的及び寸法的に変化の発生が最も少ない部位であり、この四隅の位置に凹状係合部２３を形成することにより、容器本体２を一枚の厚紙から折り曲げ形成した構造であっても、凹状係合部２３の配置に対して寸法精度の維持が図れることになり、厚紙を用いて合成樹脂シートの成形品と同等の機能を有する容器本体２を形成することができる。
【００２８】
上記蓋体３は、透明な合成樹脂シートを用い、図示の場合、天板３ａの周囲に設けた周側壁３ｂの下部開口が上記容器本体２における周壁５の外側に丁度密に嵌り合う大きさと形状に形成され、周側壁３ｂの下端外周にフランジ３ｃが設けられ、前記周側壁３ｂにおける下端開口の四隅に、平面Ｌ字状で内面側に向けて突出し、図７（ａ）と（ｂ）のように、容器本体２に対して上から被せて押し込むことにより、上記凹状係合部２３に対して係合する凸状係合部２４が形成されている。
【００２９】
この蓋体３を形成する合成樹脂シートに生分解性の合成樹脂を用いるようにすると、紙製である容器本体２も同様であるが、使用済み後において地球環境に優しい廃棄処理が可能になる。
【００３０】
なお、図１乃至図７に示す容器本体２は、周壁５を垂直に立ち上がるようにしたものを示したが、図８と図９に示す他の例の容器本体２のように、各外側壁８及び内側壁１０において、内折り線９の部分における長さを下部底板６の辺の長さよりも長く設定し、周壁５を折り曲げ形成したとき、この周壁５が上広がりの傾斜形状となるようにしてもよく、このように周壁５を上広がりの傾斜形状にすると、図１０のように、容器本体２を上下に重ねたときに周壁５が嵌り合い、容器本体２を嵩低く格納することができるという利点がある。
【００３１】
この発明の包装容器は、上記のような構成であり、図１又は図８示す展開図のように打ち抜き加工された一枚の厚紙を各折り目線に沿って折り曲げることにより、下部底板６と上部底板１１が重なる矩形状底板４の四周縁に、外側壁８と内側壁１０が重なる枠状の周壁５を設けた浅い箱状の容器本体２を組み上げる。
【００３２】
この容器本体２は、上部底板１１の係止凸片２１を内側壁１０と挟み込み板１３及び１５の境界に設けた係止孔２２に係止させることにより、上部底板１１は下部底板６上に重なり状態で固定され、上部底板１１が周壁５の下部を内側から保持した状態に組み上がり、その組立てに接着剤を用いる必要がないため、食品の収納に対して衛生的である。
【００３３】
上記容器本体２の周壁５で囲まれた内部に例えば、ケーキやサンドイッチ等の食品を収め、この容器本体２の周壁５に蓋体３を被せて上から押し込み、四隅の凸状係合部２４を容器本体２の周壁５における外面で四隅のコーナ位置に設けた凹状係合部２３に係合させることにより、容器本体２に蓋体３が固定化された包装容器１が完成する。
【００３４】
食品を収納した包装容器１は、蓋体３が透明であるので内部の食品が見え、陳列効果を発揮することができると共に、凸状係合部２４と凹状係合部２３の弾力的な係合によって、容器本体２に対する蓋体３の固定強度が保たれるので、包装容器１のままで食品の持ち帰りが支障なく行え、食品を取り出す場合は、蓋体３のフランジ３ｃを指先でつまんで引上げることにより、容器本体２から蓋体３を取外せばよい。
【００３５】
なお、容器本体２の周壁５に設けた凹状係合部２３は、内側壁１０等で内面側が閉鎖されているので、容器本体２に蓋体３を被せて取付ければ、包装容器１の内部を外部と遮断することができ、これによって、食品を衛生的に収納することができ、しかも、容器本体２は厚紙製であるので保水性があり、内部の食品が過度に乾燥するのを防ぐことができる。
【００３６】
また、容器本体２は厚紙を用いた紙製であるので、上部底板１１の上面や周壁５の外面に文字や図柄、着色を食品に無害な塗料で印刷することができ、例えば、上部底板１１の食品で隠れる部位にクイズやくじ引き等を表記し、食品購入後に食品を取り出すことでクイズの問題やくじの結果がわかるようにすれば、包装容器１の付加価値と装飾性及び食品の宣伝効果を向上させることができる。
【符号の説明】
【００３７】
１        包装容器
２        容器本体
３        蓋体
４        矩形状底板
５        周壁
６        下部底板
７        内折り目線
８        外側壁
９        内折り目線
１０      内側壁
１１      上部底板
１２      外折り目線
１３      挟み込み板
１４      外折り目線
１５      挟み込み板
１６      外折り目線
１７      折り込み片
１８      内折り壁
１９      内折り目線
２０      切抜き孔
２１      係止凸片
２２      係止孔
２３      凹状係合部
２４      凸状係合部
【図１】
2011037507.tif 000003
【図２】
2011037507.tif 000004
【図３】
2011037507.tif 000005
【図４】
2011037507.tif 000006
【図５】
2011037507.tif 000007
【図６】
2011037507.tif 000008
【図７】
2011037507.tif 000009
【図８】
2011037507.tif 000010
【図９】
2011037507.tif 000011
【図１０】
2011037507.tif 000012